(57)【要約】【課題】厚手原稿が原稿搬送ローラから浮き上がることによる原稿搬送不良を無くすことができる原稿搬送装置、原稿搬送読取装置を提供する。【解決手段】第１の搬送ローラ３と第１従動ローラ５、第２搬送ローラ４と第２従動ローラ６のニップ部を結んだシート原稿の搬送路に対し、原稿テーブル１、読取装置７の読取面、ガイド板８を、原稿搬送路に対し、従動ローラ５、６から離れた位置に設ける。すると従動ローラ５、６が厚手の原稿によって押し上げられて浮き上がっても、原稿搬送不良を無くすことができる。また、原稿テーブル１及び読取装置７の読取面、ガイド板８を原稿搬送路に対し、駆動ローラ３、４側の位置に設ける。すると駆動ローラ３、４と厚手の原稿の接触圧が低下したり、駆動ローラ３、４と厚手原稿の間に隙間が発生することが無くなる。【選択図】図１
2013038480.tif 000002
【特許請求の範囲】
【請求項１】
シート原稿の搬送に用いる、原稿テーブル、複数の原稿搬送駆動ローラ、ガイド板、及び原稿読取装置を備えた下ユニットと、
シート原稿の搬送に用いる、複数の従動ローラ、ガイド板、白色板を備えた上ユニットと、
前記上ユニットを上下方向に移動させる駆動手段と、を具備し、
前記上ユニットと前記下ユニットの間に原稿の搬送路を形成し、
前記駆動手段により、前記上ユニットを移動させて前記搬送路の隙間を可変できる原稿搬送装置において、
前記原稿テーブル、前記原稿読取装置の読取面、前記ガイド板を、前記搬送路に対し、前記原稿搬送駆動ローラ側へ離した位置に設けた、
ことを特徴とする原稿搬送装置。
【請求項２】
請求項１に記載の厚手原稿搬送装置において、
前記原稿読取装置が備える原稿を読取る読取手段よりも原稿搬送方向で上流側に設け、前記原稿を挟んで搬送する第１の搬送ローラ対を、前記下ユニットが備える前記原稿搬送駆動ローラの一つと、前記上ユニットが備える前記複数の従動ローラの一つとで構成し、
前記原稿読取装置が備える原稿を読取る読取手段よりも原稿搬送方向で下流側に設け、前記原稿を挟んで搬送する第２の搬送ローラ対を、前記下ユニットが備える前記原稿搬送駆動ローラの他の一つと、前記上ユニットが備える前記複数の従動ローラの他の一つとで構成し、
前記第１の搬送ローラ対の前記原稿搬送駆動ローラと前記第２の搬送ローラ対の前記駆動ローラの間に位置する前記読取装置の原稿読取面は、前記第１の搬送ローラ対の前記原稿搬送駆動ローラと、前記第２の搬送ローラ対の前記駆動ローラのニップ部を結んだ線上に沿う前記搬送路に対し、前記両駆動ローラ側に離した位置に設けたことを特徴とする原稿搬送装置。
【請求項３】
請求項２に記載の厚手原稿搬送装置において、
前記搬送路に対し、前記原稿テーブルを、前記前記第１の搬送ローラ対の前記原稿搬送駆動ローラから遠ざかるにしたがって前記搬送路から離れるように傾斜を付けて設けたことを特徴とする厚手原稿搬送装置。
【請求項４】
請求項２に記載の厚手原稿搬送装置において、
前記第１の搬送ローラ対の前記原稿搬送駆動ローラと、前記第２の搬送ローラ対の前記駆動ローラのニップ部を結んだ搬送路に対し、原稿排出トレイのガイド位置を、駆動ローラ側に離した位置に設けたことを特徴とする請求項１に記載の厚手原稿搬送装置。
【請求項５】
請求項４に記載の原稿搬送装置において、
前記排紙トレイが、前記上ユニットを移動させる上下可変機構と連動して角度が可変することを特徴とする原稿搬送装置。
【請求項６】
請求項４に記載の原稿搬送装置において、
前記排紙トレイが、前記上ユニットを移動させる上下可変機構と連動して角度が可変することを特徴とする原稿搬送装置。
【請求項７】
請求項１ないし６のいずれかに記載の原稿搬送装置と、該原稿搬送装置が搬送してきた原稿の画像を読取る手段を備えたことを特徴とする原稿搬送読取装置。
【請求項８】
請求項１ないし６のいずれかに記載の原稿搬送装置を画像形成装置本体上に搭載してなることを特徴とする画像形成装置。
【請求項９】
請求項７に記載の原稿搬送読取装置を画像形成装置本体上に搭載してなることを特徴とする画像形成装置。
【発明の詳細な説明】
【技術分野】
【０００１】
本発明は、原稿搬送読取装置において用いる原稿搬送装置に関し、詳細には、厚手のシート原稿の搬送に適する原稿搬送装置、これを用いた原稿搬送読取装置、画像形成装置に関する。
【背景技術】
【０００２】
原稿搬送読取装置において用いるシートの原稿搬送装置においては、一般的にはシート原稿搬送可能な原稿厚さは0.05〜0.2ｍｍほどである。そのため、スチレンボードなどの厚手原稿（厚さが例えば1〜10ｍｍ）を搬送するためには、原稿搬送路の隙間を原稿の厚さに応じ合わせる必要がある。
【０００３】
そのための技術としては、原稿の厚さをスケール等で計測するか、目盛り付きの表示シート等により目測で原稿厚を決めた後、原稿搬送路の隙間可変調整手段により手動で実施する例が知られている。
【０００４】
しかしながら、原稿搬送路の隙間を手動で調整する手段では、厚手原稿と隙間調整手段での隙間の関係が必ずしも一致していない。そのため、隙間が狭い時にはガイド板への接触圧が増え、搬送摩擦抵抗が増大し、隙間が広すぎた時には従動ローラ圧が低下する。
【０００５】
また、搬送駆動ローラの前後に設けられたガイド部材等が前後搬送駆動ローラを結ぶ原稿搬送路の従動ローラ側に突き出ている場合、突き出ているガイド部材等に厚手原稿がまたがった状態になることがある。その場合、厚手原稿の腰が強いため、従動ローラ圧による原稿のたわみが少なくなり、そのために、従動ローラは厚手原稿により押し上げられる。また、搬送駆動ローラと厚手原稿の接触圧が低下し、最悪の場合、搬送駆動ローラと厚手原稿間に隙間が発生する。この隙間の発生により、搬送力不足による搬送不良が発生するという問題が生じる。
【０００６】
特許文献１には、確実に原稿を搬送できるとともに精度良く原稿を読みと取ることができる原稿搬送装置を提供する目的で、原稿厚みセンサで検出した厚みに基づいて従動ローラ及び白色板を変位機構により変位させる構成が開示されている。しかし、ガイド板への接触圧が増えて摩擦抵抗が増大することや、隙間が広すぎた時の従動ローラ圧の低下により搬送力不足による搬送不良が発生するという問題が解消できていない。
【発明の概要】
【発明が解決しようとする課題】
【０００７】
そこで本発明においては、原稿搬送路において、搬送駆動ローラの前後にある原稿ガイド部材が従動ローラ側に突出しないようにして、従動ローラが厚手原稿により押し上げられて駆動ローラへの接触圧を低下させることが無く、搬送力不足による搬送不良の発生を防止できるようにすることを目的とする。
【課題を解決するための手段】
【０００８】
本発明の原稿搬送装置は、シート原稿の搬送に用いる、原稿テーブル、複数の原稿搬送駆動ローラ、ガイド板、及び原稿読取装置を備えた下ユニットと、シート原稿の搬送に用いる、複数の従動ローラ、ガイド板、白色板を備えた上ユニットと、前記上ユニットを上下方向に移動させる駆動手段と、を具備し、前記上ユニットと前記下ユニットの間に原稿の搬送路を形成し、前記駆動手段により、前記上ユニットを移動させて前記搬送路の隙間を可変できる原稿搬送装置において、前記原稿テーブル、前記原稿読取装置の読取面、前記ガイド板を、前記搬送路に対し、前記原稿搬送駆動ローラ側へ離した位置に設けた、ことを特徴とする。
【発明の効果】
【０００９】
本発明によれば、挿入駆動ローラと後駆動ローラのニップ部を結んだ原稿搬送路に対し、原稿テーブル及び読取装置読取面、ガイド板を前記原稿搬送路に対し、従動ローラより離間した位置に設けることにより、厚手原稿が原稿搬送ローラから浮き上がることによる原稿搬送不良を無くすことができる。
【図面の簡単な説明】
【００１０】
【図１】本発明の実施形態に係る原稿搬送装置の構成について説明する図
【図２】本実施形態の装置において、厚さが通常の原稿より厚い、いわゆる厚手原稿を搬送する時における不具合について説明する図
【図３】カールした厚紙原稿の搬送について説明する図
【図４】厚手原稿やカール厚紙原稿等の厚手の原稿を排出する時における不具合について説明する図
【図５】上部ユニットと下部ユニットとの間の原稿搬送路の間隔を可変させる機構の一例を示す模式図
【発明を実施するための形態】
【００１１】
本発明の実施の形態を、添付図面を参照して説明する。
図１は、原稿搬送装置の構成について説明する図である。図示の原稿搬送装置１１は、この装置とともに画像形成装置を構成する画像形成装置本体１９（詳細な図示は省略）上に搭載してある。そして。シート状の原稿２を読取装置７に搬送し、原稿の厚さに応じて、読取後の原稿２を図中矢印ａで示す方向へ搬送して装置後方（図の右側）の排紙トレイ（図示せず）に排出する。この原稿搬送装置１１は、図示しないヒンジ等の連結部材によって互いに連結された上部ユニット２０と下部ユニット２１とから構成してある。
【００１２】
上部ユニット２０は、ヒンジ１４を介し下部ユニット２１上で図中の上下方向に回転させることによって昇降、開閉自在に下部ユニット２１に接続してある。また上部ユニット２０の上部には、操作表示部１３及び従動ローラ５、６及びガイド板８、白色板９が搭載してある。
【００１３】
読取装置７は、コンタクトガラス７ａと、図示を省略するが、光源、結像レンズ、受光素子等を含む密着イメージセンサを備えており、装置前方（図中左側）から挿入及び搬送されてきた原稿２に光を照射し、その反射光を、結像レンズを介して密着イメージセンサの受光素子に結像し、その画像信号を順次画像信号（画像データ）に変換する。また、原稿２と接触するコンタクトガラス７ａの上方には、原稿２をコンタクトガラス７ａに圧接させる白色板９を備えている。
【００１４】
この白色板９とコンタクトガラス７ａの間には、例えば０．２〜０．５ｍｍ位の隙間を設ける。なお、読取装置７に密着イメージセンサを用いた場合においては、ジター等が無くフォーカスの合った高品質な読取画像を得るためには、原稿２の搬送速度を一定に保つとともに、読取装置７と原稿２との距離を一定に保つことが重要である。そのため、本実施形態では、コンタクトガラス７ａと白色板９との間の間隙が後述するように原稿２の厚さに応じて増減できるようにしてある。
【００１５】
原稿挿入用の挿入駆動ローラである、第１の搬送ローラ３の上流側には図示していない原稿厚み検知手段を設けてある。また、この原稿厚み検知手段で検出した信号に基づき、上部ユニット２０を上下方向に移動させる駆動手段を備える。この構成により、原稿２の搬送路の隙間を自動調整できるようになっている。そして、原稿読取終了後、ホームポジションの位置に戻すように制御する。なお、搬送路の隙間を自動調整する装置、機構は周知であるので図示、詳細な説明は省略する。
【００１６】
操作表示部１３は、図示を省略するが、スタートキー、テンキー、クリア／ストップキー、ファンクションキー、Ｙｅｓ／Ｎｏキー、カーソルキー、初期設定キー、モードキー等のキー群と液晶タッチパネル、スピーカ等を備え、ユーザの操作により各動作モードの設定や動作開始指示及び動作停止指示ができるようになっている。また操作表示部１３は、コピー部数や装置状態等を表示するとともに、装置状態に応じて機能キーを液晶表示パネルに適宜表示するようになっている。
【００１７】
読取装置７の搬送方向上流側には、第１の搬送ローラ３と、この第１の搬送ローラ３に圧接して従動する第１従動ローラ５が設けてある。また、読取装置７の搬送方向下流側には、第２搬送ローラ４と、この第２搬送ローラ４に圧接して従動する第２従動ローラ６が設けてある。
【００１８】
第２搬送ローラ４は、例えばフッ素系ゴムから構成し、例えば金属からなる、第２搬送ローラ４の軸４ａの軸線方向に複数個配置してある。また、第１の搬送ローラ３は、第２搬送ローラ４と同様に構成してある。さらに第２従動ローラ６は、例えば樹脂により構成し、例えば金属からなる、第２従動ローラ６の軸６ａの軸線方向に複数個配置してある。
【００１９】
第１従動ローラ５は、第２従動ローラ６と同様に構成してある。この第１従動ローラ５は、例えばバネ等によって下方に押して第１の搬送ローラ３に押し付けてある。第２従動ローラ６も、例えばバネ等によって下方に押して第２搬送ローラ４に押し付けてある。本実施形態では、第１の搬送ローラ３、第１従動ローラ５、第２搬送ローラ４及び第２従動ローラ６のいずれのローラにも発泡ゴム等を用いないようにし、圧力により発泡ゴムがクリープ変形して搬送性能が低下することが無いようにすることが好ましい。
【００２０】
第１の搬送ローラ３及び第２搬送ローラ４は、図示していな搬送モータにより、例えばタイミングベルトを有する駆動伝達手段を介して駆動する。また、第１の搬送ローラ３は、図示しない電磁ブレーキ・クラッチを介して駆動制御し、原稿挿入検知信号により電磁ブレーキ・クラッチが結合して図示しない搬送モータからの駆動力を伝達するとともに、原稿２の先端が第２搬送ローラ４を通過してから原稿２の後端が抜けるまでは電磁ブレーキ・クラッチが切れることにより、先行している原稿が原稿搬送装置１１から排出されるまで、次の原稿が原稿搬送装置１１に進入できないようにしてある。
【００２１】
原稿搬送装置１１の下部には既述のように画像形成装置本体１９が配置してある。図示は省略するが、画像形成装置本体１９は、転写紙を収納する給紙ユニット、転写紙に画像形成を行う作像ユニットを備えている。
【００２２】
なお、作像ユニットは、例えばドラム状の感光体、この感光体を中心として、電子写真プロセスの工程順に、帯電チャージャ、書込ユニット、現像ユニット、転写チャージャ、分離チャージャ等を備えているものが好ましい。またなお、この種の原稿搬送装置と組み合わせる画像形成装置本体は、ロール状に巻かれた転写紙を収納しており、原稿２の長さに応じて切断して感光体の転写位置へ搬送する構成のものが一般的である。
【００２３】
図２は、本実施形態の装置において、厚さが通常の原稿より厚い、いわゆる厚手原稿を搬送する時における不具合について説明する図である。
第１の搬送ローラ３と後駆動ローラ４のニップ部を結んだ原稿搬送路に対し、原稿テーブル１及び読取装置７が原稿搬送路よりも従動ローラ５側に食い込んだ位置にある場合、厚手原稿１２が従動ローラ５を押し上げるとともに、第１の搬送ローラ３と厚手原稿１２との接触圧の低下や、第１の搬送ローラ３と厚手原稿１２との間の隙間の発生が生じてしまう。すると、原稿搬送力が落ちて原稿搬送不良が発生してしまう。また、後駆動ローラ４も前記と同様な動作となり、原稿搬送不良を発生する原因となる。前記のような不具合を無くすため、図１に示すように、原稿テーブル１及び読取装置７を原稿搬送路に対し、同位置から離した位置に設ける。そのことにより、第１の搬送ローラ３から原稿２が浮き上がることによる原稿搬送不良を低減させることが可能になる。
【００２４】
図３は、カールした厚紙原稿１２ａ（以下では、カール厚紙原稿１２ａと記載する。）の搬送について説明する図である。
原稿テーブル１は、第１の搬送ローラ３と従動ローラ５から遠ざかるにしたがって図中の左側が原稿搬送路から下方へ離れるように傾斜を付けて設けである。
【００２５】
カール厚紙原稿１２ａの搬送時、第１の搬送ローラ３と後駆動ローラ４のニップ部を結んだ原稿搬送路に対し、原稿テーブル１及び読取装置７が原稿搬送路よりも駆動側になる位置にしても、カール厚紙原稿１２ａの場合、従動ローラ５、６は押し上げられるとともに、第１の搬送ローラ３とカール厚紙原稿１２ａとの接触圧の低下や、第１の搬送ローラ３とカール厚紙原稿１２ａとの間に隙間が発生してしまう。すると、原稿搬送力が落ちて原稿搬送不良が発生してしまうことがある。このような不具合を無くすため、図３に示すように、第１の搬送ローラ３から遠ざかるに従い原稿テーブル１が原稿搬送路から離れるように傾斜を付けて設けることにより、第１の搬送ローラ３からカール厚紙原稿１２ａが浮き上がることによる原稿搬送不良を低減することが可能になる。
【００２６】
図４は、上述した厚手原稿１２やカール厚紙原稿１２ａ等の厚手の原稿（以下では、厚手原稿１２ｂと記載する。）の排出時における不具合について説明する図である。
第１の搬送ローラ３と後駆動ローラ４のニップ部を結んだ原稿搬送路に対し、排紙トレイが原稿搬送路よりも従動ローラ５側に食い込んだ位置にある場合、厚手原稿１２ｂにより従動ローラ５は押し上げられるとともに、第２従動ローラ６と厚手原稿１２ｂとの接触圧が低下したり、第１の搬送ローラ３と厚手原稿１２ｂとの間に隙間Xが発生したりしてしまい、原稿搬送力が落ちて原稿搬送不良が発生してしまう。このような不具合を無くすため、図示のように排紙トレイ２６を原稿搬送路に対して同一面をなすか、あるいは後駆動ローラ４側から離した位置に設けることにより、後駆動ローラ４から厚手原稿１２ｂが浮き上がることによる原稿搬送不良を低減することが可能になる。
【００２７】
また、排紙トレイ２６を、上部ユニット２０を移動させる図示していない上下可変機構と連動させ、排紙トレイ２６の角度を可変させ得るように構成しても良い。これによっても上述のような不具合を無くすことができる。
【００２８】
この構成では、薄紙原稿の排出時には排紙トレイ２６を起こした状態にしておき、複数枚の薄紙原稿をスタック可能とし、上部ユニット２０を移動させる上下可変機構で、上方向に移動させる時に排紙トレイ２６を寝かせ、既述のように原稿搬送ローラ４から原稿が浮き上がることによる原稿搬送不良を無くすことが可能になる。
【００２９】
図５は、上部ユニット２０と下部ユニット２１との間の原稿搬送路の間隔を可変させる機構の一例を示す模式図である。
本機構は、下部ユニット２１の下側板２１ａにガイドピン２２が設けてあり、ギヤ２３はスライドカム２４に形成してあるラック（図示を省略する）と噛み合っておいる。そして、ギヤ２３を回転させることにより、スライドカム２４は矢印ｂ方向に移動し、上部ユニット２０の側板２０ａに上下方向で斜めに設けた長穴２０ｂによりガイドし、上部ユニット２０を上方向（矢印ｃ方向）へ移動させる。
【００３０】
上部ユニット２０の上側板２０ａと下部ユニット２１の下側板２１ａは、図示は省略するが、前後方向には移動しないように上下方向の規制手段により規制してある。
【００３１】
なお本実施形態では、上ユニット２０全体を移動させるものとして説明しているが、ガイド板８と従動ローラ５、６、白色板９のみをユニット化して上下方向に移動させても良い。
【００３２】
すなわち、挿入駆動ローラである第１の搬送ローラ３と第１従動ローラ５、後駆動ローラである第２搬送ローラ４と第２従動ローラ６のニップ部を結んだシート原稿の搬送路に対し、原稿テーブル１、読取装置７の読取面、ガイド板８を、原稿搬送路に対し、従動ローラ５、６から離れた位置に設けることにより、従動ローラ５、６が厚手の原稿によって押し上げられて浮き上がっても、原稿搬送不良を無くすことができる。また、原稿テーブル１及び読取装置７の読取面、ガイド板８を原稿搬送路に対し、駆動ローラ３、４側の位置に設けることにより、駆動ローラ３、４と厚手の原稿の接触圧が低下したり、駆動ローラ３、４と厚手原稿の間に隙間が発生したりすることが無くなり、厚手原稿でも原稿搬送ローラから浮き上がることが無く、搬送不良を無くすことが防止できる。
【００３３】
なお本発明は以上説明した実施形態に限定されるものではなく、多くの変形が本発明の技術的思想内で当分野において通常の知識を有する者により可能である。
【符号の説明】
【００３４】
２：原稿
３：第１の搬送ローラ
４：第２搬送ローラ
５：第１従動ローラ
６：第２従動ローラ
７：読取装置
７ａ：コンタクトガラス
８：ガイド板
９：白色板
１２：厚手原稿
１２ａ：カール厚紙原稿
１２ｂ：厚手原稿
１３：操作表示部
１４：ヒンジ
１１：原稿搬送装置
１９：画像形成装置本体
２０：上部ユニット
２０ａ：上部ユニットの側板
２０ｂ：長穴
２１：下部ユニット
２１ａ：下部ユニットの下側板
２２：ガイドピン
２３：ギヤ
２４：スライドカム
２６：排紙トレイ
X：隙間
【先行技術文献】
【特許文献】
【００３５】
【特許文献１】特開２００９−１４３６９６号公報
【図１】
2013038480.tif 000003
【図２】
2013038480.tif 000004
【図３】
2013038480.tif 000005
【図４】
2013038480.tif 000006
【図５】
2013038480.tif 000007